(57)【要約】【課題】ボトルに装着したシュリンクラベルを引き剥がす時に、簡単且つ安全に引き剥がすことができる機能を有するシュリンクラベルを提供することにある。【解決手段】被装着体に装着される筒状のシュリンクラベルであって、筒状本体部の一箇所に外側に突出する合掌形式の連結部兼摘み部が設けられ、前記連結部兼摘み部の両側に平行に直線状ミシン目線が設けられているか、又は筒状本体部の一箇所にシュリンクフィルムの一方の端部側が筒状本体部の内面に封筒貼り形式で重ね合わされ、貼り合わされてなる連結部が設けられ、前記連結部が設けられている位置に外側に突出し、シュリンクフィルムの他方の端部側が少なくとも１回片側に折り返され、相対する面同士が所定幅で貼り合わされてなる摘み部が設けられ、前記摘み部の両側に平行に直線状ミシン目線が設けられている。【選択図】図１
2009067404.tif 000002
【特許請求の範囲】
【請求項１】
所定形状のシュリンクフィルムからなり、被装着体に装着される筒状のシュリンクラベルであって、筒状本体部の周囲の一箇所に外側に突出する所定幅の連結部兼摘み部が設けられ、前記連結部兼摘み部の両側に平行にシュリンクラベルの上端から下端に延びる直線状ミシン目線が設けられていることを特徴とするシュリンクラベル。
【請求項２】
前記連結部兼摘み部はシュリンクフィルムの両側の端部が該側面が面一になる状態で合掌形式で重ね合わされ、所定幅で貼り合わされてなることを特徴とする請求項１記載のシュリンクラベル。
【請求項３】
所定形状のシュリンクフィルムからなり、被装着体に装着される筒状のシュリンクラベルであって、筒状本体部の周囲の一箇所に所定幅の連結部が設けられ、前記連結部が設けられている位置に外側に突出する所定幅の摘み部が設けられ、前記摘み部の両側に平行にシュリンクラベルの上端から下端に延びる直線状ミシン目線が設けられていることを特徴とするシュリンクラベル。
【請求項４】
前記連結部はシュリンクフィルムの一方の端部側が筒状本体部の内面に封筒貼り形式で重ね合わされ、所定幅で貼り合わされてなり、前記摘み部はシュリンクフィルムの他方の端部側が少なくとも１回片側に折り返され、相対する面同士が所定幅で貼り合わされてなることを特徴とする請求項３記載のシュリンクラベル。
【発明の詳細な説明】
【技術分野】
【０００１】
本発明はプラスチックボトル、ガラスボトル等に用いるシュリンクラベルに関するものである。
【背景技術】
【０００２】
各種飲料等を充填密封したポリエステルボトル等のプラスチックボトルあるいはガラスボトルには意匠性を向上させ、販売促進を図る等の目的でボトル本体等に絵柄などを印刷したシュリンクラベルが多く装着されており、従来、塩化ビニル樹脂からなるシュリンクラベルが一般的に使用されていたが、近年の地球環境問題、特にダイオキシン問題から塩素を含まない樹脂を使用したシュリンクラベルが使用されてきており、塩化ビニル樹脂に替えてポリスチレン樹脂やポリエステル樹脂からなるシュリンクラベルが多く使用されている。ところが、シュリンクラベルは一般的にボトルから切り剥がす時に非常に切り剥がし難い等の問題を有しており、それらの問題を解消する為に、切り剥がす時に破断する際のきっかけとなる特殊形状の切り込みを背貼り部を跨ぐ状態で設け、さらに背貼り部の両側にその切り込みに繋がっているミシン目線を設けた筒状のシュリンクラベルが提案されている（例えば、特許文献１参照。）。
【特許文献１】特開２００７−１５７３２号公報
【発明の開示】
【発明が解決しようとする課題】
【０００３】
しかしながら、前記提案されているシュリンクラベルは、ラベルを引き剥がす時に、特殊形状の切り込みに爪を引っ掛けて引き剥がすようになっている為に剥がし難く、時には怪我をする危険性を有していた。
【０００４】
本発明の課題は、ボトルに装着したシュリンクラベルを引き剥がす時に、簡単且つ安全に引き剥がすことができる機能を有するシュリンクラベルを提供することにある。
【課題を解決するための手段】
【０００５】
本発明の請求項１に係る発明は、所定形状のシュリンクフィルムからなり、被装着体に装着される筒状のシュリンクラベルであって、筒状本体部の周囲の一箇所に外側に突出する所定幅の連結部兼摘み部が設けられ、前記連結部兼摘み部の両側に平行にシュリンクラベルの上端から下端に延びる直線状ミシン目線が設けられていることを特徴とするシュリンクラベルである。
【０００６】
本発明の請求項２に係る発明は、上記請求項１に係る発明において、前記連結部兼摘み部はシュリンクフィルムの両側の端部が該側面が面一になる状態で合掌形式で重ね合わされ、所定幅で貼り合わされてなることを特徴とするシュリンクラベルである。
【０００７】
本発明の請求項３に係る発明は、所定形状のシュリンクフィルムからなり、被装着体に装着される筒状のシュリンクラベルであって、筒状本体部の周囲の一箇所に所定幅の連結部が設けられ、前記連結部が設けられている位置に外側に突出する所定幅の摘み部が設けられ、前記摘み部の両側に平行にシュリンクラベルの上端から下端に延びる直線状ミシン目線が設けられていることを特徴とするシュリンクラベルである。
【０００８】
本発明の請求項４に係る発明は、上記請求項３に係る発明において、前記連結部はシュリンクフィルムの一方の端部側が筒状本体部の内面に封筒貼り形式で重ね合わされ、所定
幅で貼り合わされてなり、前記摘み部はシュリンクフィルムの他方の端部側が少なくとも１回片側に折り返され、相対する面同士が所定幅で貼り合わされてなることを特徴とするシュリンクラベルである。
【発明の効果】
【０００９】
本発明のシュリンクラベルは、所定形状のシュリンクフィルムからなり、被装着体に装着される筒状のシュリンクラベルであって、筒状本体部の周囲の一箇所に外側に突出し、シュリンクフィルムの両側の端部が該側面が面一になる状態で合掌形式で重ね合わされ、所定幅で貼り合わされてなる連結部兼摘み部が設けられ、前記連結部兼摘み部の両側に平行にシュリンクラベルの上端から下端に延びる直線状ミシン目線が設けられているか、あるいは、筒状本体部の周囲の一箇所にシュリンクフィルムの一方の端部側が筒状本体部の内面に封筒貼り形式で重ね合わされ、所定幅で貼り合わされてなる連結部が設けられ、前記連結部が設けられている位置に外側に突出し、シュリンクフィルムの他方の端部側が少なくとも１回片側に折り返され、相対する面同士が所定幅で貼り合わされてなる摘み部が設けられ、前記摘み部の両側に平行にシュリンクラベルの上端から下端に延びる直線状ミシン目線が設けられているので、被装着体に装着後に引き剥がす時は、それぞれ連結部兼摘み部あるいは摘み部を手で摘んで、直線状ミシン目線に沿って簡単且つ安全に最後まで引き剥がし、除去することができる。
【発明を実施するための最良の形態】
【００１０】
本発明のシュリンクラベルを、実施の形態に沿って以下に詳細に説明する。図２は本発明のシュリンクラベルに使用するシュリンクフィルムの一実施形態を示す平面図であり、シュリンクフィルム（１０）は、長方形本体部（１１）の長手方向の両端に端部（１２）及び端部（１３）を有している。
【００１１】
前記シュリンクフィルム（１０）には、ベースフィルムとして一軸収縮ポリエステルフィルム、一軸収縮ポリスチレンフィルム、一軸収縮ポリプロピレンフィルムなどが使用され、前記ベースフィルム単体あるいは前記ベースフィルムに印刷を施したものなどが使用される。ベースフィルムの厚みとしては３０〜８０μｍの範囲のものが使用される。
【００１２】
図１（ａ）は本発明のシュリンクラベルの一実施形態を示す斜視図であり、シュリンクラベル（１）は、前記シュリンクフィルム（１０）からなっており、筒状本体部（２）の周囲の一箇所に外側に突出する所定幅の連結部兼摘み部（４）が設けられており、前記連結部兼摘み部（４）の両側に平行に上端から下端に延びる直線状ミシン目線（７、８）が設けられている。前記連結部兼摘み部（４）はシュリンクフィルム（１０）の一方の端部（１２）と他方の端部（１３）の側面が面一になる状態で、接着剤（２０）を介して合掌形式で重ね合わされ、所定幅で貼り合わされている。なお、前記連結部兼摘み部（４）は接着剤（２０）を使用しないで、テトラヒドロフランなどの溶媒でシュリンクフィルムを溶かして貼り合わされていても良い。
【００１３】
図１（ｂ）は本発明のシュリンクラベルの他の実施形態を示す斜視図であり、シュリンクラベル（１′）は、前記シュリンクフィルム（１０）からなっており、筒状本体部（３）の周囲の一箇所に所定幅の連結部（５）が設けられており、連結部（５）が設けられている位置に外側に突出する摘み部（６）が設けられており、前記摘み部（６）の両側に平行に上端から下端に延びる直線状ミシン目線（７、８）が設けられている。前記連結部（５）はシュリンクフィルム（１０）の一方の端部（１２）側が筒状本体部（３）の内面に接着剤（２１）を介して封筒貼り形式で重ね合わされ、所定幅で貼り合わされてなり、前記摘み部（６）はシュリンクフィルム（１０）の他方の端部（１３）側が折り返し部（１４、１５）を介して片側に折り返され、相対する面同士が接着剤（２２）を介して所定幅で貼り合わされてなっている。なお、前記連結部（５）及び前記摘み部（６）は接着剤（２１）あるいは接着剤（２２）を使用しないで、テトラヒドロフランなどの溶媒でシュリンクフィルムを溶かして貼り合わされていても良い。
【００１４】
前記接着剤（２０、２１、２２）としては、ポリウレタン系接着剤などが使用される。
【００１５】
本発明のシュリンクラベルは、前記記載のごとく、筒状本体部の周囲の一箇所に、外側に突出する連結部兼摘み部あるいは外側に突出する摘み部を設けており、連結部兼摘み部あるいは摘み部の両側に平行にラベルの上端から下端に延びる直線状ミシン目線を設けているので、被装着体に装着後に引き剥がす時は、それぞれ連結部兼摘み部あるいは摘み部を手で摘んで直線状ミシン目線に沿って簡単且つ安全に最後まで引き剥がし、除去することができる。
【図面の簡単な説明】
【００１６】
【図１】（ａ）本発明のシュリンクラベルの一実施形態を示す斜視図であり、（ｂ）はシュリンクラベルの他の実施形態を示す斜視図である。
【図２】本発明のシュリンクラベルに使用するシュリンクフィルムの一実施形態を示す平面図である。
【符号の説明】
【００１７】
１，１′…シュリンクラベル
２，３…筒状本体部
４…連結部兼摘み部
５…連結部
６…摘み部
７，８…直線状ミシン目線
１０…シュリンクフィルム
１１…長方形本体部
１２，１３…端部
１４，１５…折り返し部
２０，２１，２２…接着剤
【図１】
2009067404.tif 000003
【図２】
2009067404.tif 000004